(57)【要約】【課題】ユーザの意図しない音響によって生じる違和感を抑制できる携帯端末装置を提供する。【解決手段】携帯電話機２は、音響信号を出力する音響処理部３３を有し、接続可能なクレードル装置３に接続されたときに音響処理部３３からの音響信号をクレードル装置３に向けて出力することにより音響信号に応じた音響をクレードル装置３に配置されたスピーカー２３から出力させることが可能である。携帯電話機２は、音響処理部３３から出力される音響信号の種類が特定の種類であるとき、当該音響信号のスピーカー２３への出力を規制する外部スピーカー出力制御部４３を有する。【選択図】図４
2007135077.tif 000002
【特許請求の範囲】
【請求項１】
音響信号を出力する音響出力手段を有し、接続可能な音響出力装置に接続されたときに前記音響出力手段からの前記音響信号を前記音響出力装置に向けて出力することにより前記音響信号に応じた音響を前記音響出力装置に配置されたスピーカーから出力させることが可能な携帯端末装置において、
前記音響出力手段から出力される前記音響信号の種類が特定の種類であるとき、当該音響信号の前記音響出力装置への出力を規制する出力規制手段を有する
ことを特徴とする携帯端末装置。
【請求項２】
前記音響出力手段から出力される前記音響信号の種類が前記特定の種類であるか否か判定する音響判定手段を備え、
前記出力規制手段は、前記音響判定手段にて、前記音響信号の種類が前記特定の種類であると判定されたとき、前記音響信号の前記音響出力装置への出力を規制する
ことを特徴とする請求項１記載の携帯端末装置。
【請求項３】
他の通信機器と通信を行う通信手段と、
前記他の通信機器からの着信を検出する着信検出手段を有し、
前記音響出力手段は、前記着信検出手段にて着信が検出されたときに着信音の音響信号を出力し、
前記出力規制手段は、前記音響出力手段から出力される音響信号が前記着信音の音響信号であるとき、当該音響信号の前記音響出力装置への出力を規制する
ことを特徴とする請求項１又は２記載の携帯端末装置。
【請求項４】
前記着信検出手段は、前記着信に対する発信者を検出し、
前記出力規制手段は、前記着信検出手段にて前記着信の発信者が特定の者からであると検出されたとき、前記着信音の音響信号の前記音響出力装置への出力規制を解除する
ことを特徴とする請求項３記載の携帯端末装置。
【請求項５】
前記出力規制手段は、
前記着信検出手段にて前記着信の発信者が前記特定の者からであると検出されたときに、前記特定の者に対応した着信音の音響信号を出力するように、前記音響出力手段が設定されており、かつ、
前記着信検出手段にて前記着信の発信者が前記特定の者からであると検出されたとき、前記着信音の音響信号の前記音響出力装置への出力規制を解除する
ことを特徴とする請求項４記載の携帯端末装置。
【請求項６】
アラーム音を出力可能なアラーム機能手段を有し、
前記音響出力手段は、前記アラーム機能手段にて設定された時刻に到達すると、アラーム音の音響信号を出力し、
前記出力規制手段は、前記音響出力手段から出力される音響信号が前記アラーム音の音響信号であるとき、当該音響信号の前記音響出力装置への出力を規制する
ことを特徴とする請求項１〜５のいずれか一に記載の携帯端末装置。
【請求項７】
接続可能な携帯端末装置が接続されたときに、前記携帯端末装置から出力された音響信号に応じた音響を出力可能なスピーカーを備えた音響出力装置において、
携帯端末装置から出力される音響信号の種類が特定の種類であるとき、前記スピーカーからの前記音響の出力を規制する出力規制手段を有する
ことを特徴とする音響出力装置。
【請求項８】
前記携帯端末装置から出力される音響信号の種類が前記特定の種類であるか否か判定する音響判定手段を備え、
前記出力規制手段は、前記音響判定手段にて、前記音響信号の種類が前記特定の種類であると判定されたとき、前記スピーカーからの前記音響の出力を規制する
ことを特徴とする請求項７記載の音響出力装置。
【請求項９】
前記出力規制手段は、前記携帯端末装置から出力される音響信号が前記携帯端末装置に設けられた通信手段での着信に伴う着信音の音響信号であるとき、前記スピーカーからの前記音響の出力を規制する
ことを特徴とする請求項７又は８記載の音響出力装置。
【請求項１０】
前記出力規制手段は、前記携帯端末装置から出力される音響信号が前記携帯端末装置に設けられたアラーム手段によるアラーム音の音響信号であるとき、前記スピーカーからの前記音響の出力を規制する
ことを特徴とする請求項７〜９のいずれか一に記載の音響出力装置。
【請求項１１】
携帯端末装置と、
前記携帯端末装置に接続可能に構成され、前記携帯端末装置に接続されているときに前記携帯端末装置から出力される音響信号に応じた音響をスピーカーから出力可能な音響出力装置と
を備えた音響装置において、
前記携帯端末装置から出力される音響信号の種類が特定の種類のとき、前記スピーカーからの前記音響の出力を規制する出力規制手段を有する
ことを特徴とする音響装置。
【請求項１２】
前記携帯端末装置から出力される音響信号の種類が、前記特定の種類であるか否か判定する音響判定手段を備え、
前記出力規制手段は、前記音響判定手段にて、前記音響信号の種類が前記特定の種類であると判定されたとき、前記スピーカーからの前記音響の出力を規制する
ことを特徴とする請求項１１記載の音響装置。
【請求項１３】
前記携帯端末装置は、他の通信機器と通信可能な通信手段を有し、
前記出力規制手段は、前記携帯端末装置から出力される音響信号が前記通信手段での着信に伴う着信音の音響信号であるとき、前記スピーカーからの前記音響の出力を規制する
ことを特徴とする請求項１１又は１２記載の音響装置。
【請求項１４】
前記携帯端末装置は、アラーム音を出力可能なアラーム手段を有し、
前記出力規制手段は、前記携帯端末装置から出力される音響信号が前記アラーム音の音響信号であるとき、前記スピーカーからの前記音響の出力を規制する
ことを特徴とする請求項１１〜１３のいずれか一に記載の音響装置。
【請求項１５】
携帯端末装置と、前記携帯端末装置に接続可能に構成されるとともにスピーカーを備えた音響出力装置とを備え、前記携帯端末装置と前記音響出力装置とが接続されたときに前記携帯端末装置から出力された音響信号に応じた音響を前記スピーカーから出力可能な音響装置の音響出力制御方法において、
前記携帯端末装置から出力される前記音響信号の種類が特定の種類であるとき、前記スピーカーからの前記音響の出力を規制する
ことを特徴とする音響装置の音響出力制御方法。
【発明の詳細な説明】
【技術分野】
【０００１】
本発明は、携帯電話機等の携帯端末装置、当該携帯端末装置と接続されるクレードル装置等の音響出力装置、携帯端末装置及び音響出力装置を備えた音響装置、並びにその音響出力制御方法に関する。
【背景技術】
【０００２】
携帯端末装置の出力する音響を、携帯端末装置に接続される機器から出力する技術が知られている。例えば、特許文献１では、携帯電話本体の出力する音響を、携帯電話本体の充電を行う携帯電話用卓上ホルダなどのクレードル装置に設けたスピーカーから出力する技術が開示されている。
【特許文献１】特開２００３−１０１６１８号公報
【発明の開示】
【発明が解決しようとする課題】
【０００３】
しかし、特許文献１では、携帯電話本体の着信を知らせる報知音も携帯電話用卓上ホルダなどのクレードル装置に設けられたスピーカーから出力される。一方、携帯電話用卓上ホルダなどのクレードル装置に設けられたスピーカーは、自室での音楽鑑賞等において、携帯電話本体のスピーカーよりも音量が大きく設定されることが予想される。従って、当該携帯電話用卓上ホルダなどのクレードル装置に接続された状態で携帯電話本体に着信があった場合には、報知音、すなわち、ユーザの意図しない音響が大音量で突然出力されることになり、ユーザが違和感を覚える。
【０００４】
本発明の目的は、ユーザの意図しない音響によって生じる違和感を抑制できる携帯端末装置、音響出力装置、音響装置、及びその音響出力制御方法を提供することにある。
【課題を解決するための手段】
【０００５】
本発明の携帯端末装置は、音響信号を出力する音響出力手段を有し、接続可能な音響出力装置に接続されたときに前記音響出力手段からの前記音響信号を前記音響出力装置に向けて出力することにより前記音響信号に応じた音響を前記音響出力装置に配置されたスピーカーから出力させることが可能な携帯端末装置において、前記音響出力手段から出力される前記音響信号の種類が特定の種類であるとき、当該音響信号の前記音響出力装置への出力を規制する出力規制手段を有する。
【０００６】
好適には、前記音響出力手段から出力される前記音響信号の種類が前記特定の種類であるか否か判定する音響判定手段を備え、前記出力規制手段は、前記音響判定手段にて、前記音響信号の種類が前記特定の種類であると判定されたとき、前記音響信号の前記音響出力装置への出力を規制する。
【０００７】
好適には、他の通信機器と通信を行う通信手段と、前記他の通信機器からの着信を検出する着信検出手段を有し、前記音響出力手段は、前記着信検出手段にて着信が検出されたときに着信音の音響信号を出力し、前記出力規制手段は、前記音響出力手段から出力される音響信号が前記着信音の音響信号であるとき、当該音響信号の前記音響出力装置への出力を規制する。
【０００８】
好適には、前記着信検出手段は、前記着信に対する発信者を検出し、前記出力規制手段は、前記着信検出手段にて前記着信の発信者が特定の者からであると検出されたとき、前記着信音の音響信号の前記音響出力装置への出力規制を解除する。
【０００９】
好適には、前記出力規制手段は、前記着信検出手段にて前記着信の発信者が前記特定の者からであると検出されたときに、前記特定の者に対応した着信音の音響信号を出力するように、前記音響出力手段が設定されており、かつ、前記着信検出手段にて前記着信の発信者が前記特定の者からであると検出されたとき、前記着信音の音響信号の前記音響出力装置への出力規制を解除する。
【００１０】
好適には、アラーム音を出力可能なアラーム機能手段を有し、前記音響出力手段は、前記アラーム機能手段にて設定された時刻に到達すると、アラーム音の音響信号を出力し、前記出力規制手段は、前記音響出力手段から出力される音響信号が前記アラーム音の音響信号であるとき、当該音響信号の前記音響出力装置への出力を規制する。
【００１１】
本発明の音響出力装置は、接続可能な携帯端末装置が接続されたときに、前記携帯端末装置から出力された音響信号に応じた音響を出力可能なスピーカーを備えた音響出力装置において、携帯端末装置から出力される音響信号の種類が特定の種類であるとき、前記スピーカーからの前記音響の出力を規制する出力規制手段を有する。
【００１２】
好適には、前記携帯端末装置から出力される音響信号の種類が前記特定の種類であるか否か判定する音響判定手段を備え、前記出力規制手段は、前記音響判定手段にて、前記音響信号の種類が前記特定の種類であると判定されたとき、前記スピーカーからの前記音響の出力を規制する。
【００１３】
好適には、前記出力規制手段は、前記携帯端末装置から出力される音響信号が前記携帯端末装置に設けられた通信手段での着信に伴う着信音の音響信号であるとき、前記スピーカーからの前記音響の出力を規制する。
【００１４】
好適には、前記出力規制手段は、前記携帯端末装置から出力される音響信号が前記携帯端末装置に設けられたアラーム手段によるアラーム音の音響信号であるとき、前記スピーカーからの前記音響の出力を規制する。
【００１５】
本発明の音響装置は、携帯端末装置と、前記携帯端末装置に接続可能に構成され、前記携帯端末装置に接続されているときに前記携帯端末装置から出力される音響信号に応じた音響をスピーカーから出力可能な音響出力装置とを備えた音響装置において、前記携帯端末装置から出力される音響信号の種類が特定の種類のとき、前記スピーカーからの前記音響の出力を規制する出力規制手段を有する。
【００１６】
好適には、前記携帯端末装置から出力される音響信号の種類が、前記特定の種類であるか否か判定する音響判定手段を備え、前記出力規制手段は、前記音響判定手段にて、前記音響信号の種類が前記特定の種類であると判定されたとき、前記スピーカーからの前記音響の出力を規制する。
【００１７】
好適には、前記携帯端末装置は、他の通信機器と通信可能な通信手段を有し、前記出力規制手段は、前記携帯端末装置から出力される音響信号が前記通信手段での着信に伴う着信音の音響信号であるとき、前記スピーカーからの前記音響の出力を規制する。
【００１８】
好適には、前記携帯端末装置は、アラーム音を出力可能なアラーム手段を有し、前記出力規制手段は、前記携帯端末装置から出力される音響信号が前記アラーム音の音響信号であるとき、前記スピーカーからの前記音響の出力を規制する。
【００１９】
本発明の音響出力制御方法は、携帯端末装置と、前記携帯端末装置に接続可能に構成されるとともにスピーカーを備えた音響出力装置とを備え、前記携帯端末装置と前記音響出力装置とが接続されたときに前記携帯端末装置から出力された音響信号に応じた音響を前記スピーカーから出力可能な音響装置の音響出力制御方法において、前記携帯端末装置から出力される前記音響信号の種類が特定の種類であるとき、前記スピーカーからの前記音響の出力を規制する。
【発明の効果】
【００２０】
本発明によれば、ユーザの意図しない音響の出力が規制され、ユーザの意図しない音響によって生じる違和感が抑制される。
【発明を実施するための最良の形態】
【００２１】
（第１の実施形態）
図１は、本発明の第１の実施形態に係る携帯電話機２及びクレードル装置（音響出力装置）３を示す一部に透視図を含む平面図であり、図１（ａ）はクレードル装置３を示し、図１（ｂ）は閉状態の携帯電話機２を示し、図１（ｃ）は開状態の携帯電話機２を示している。
【００２２】
図２は、携帯電話機２をクレードル装置３に載置した状態を示す一部に透視図を含む平面図であり、図２（ａ）は携帯電話機２を閉状態にした場合を、図２（ｂ）は携帯電話機２を開状態にした場合を示している。
【００２３】
図３は、携帯電話機２をクレードル装置３に載置した状態を示す一部に透視図を含む側面図であり、図３（ａ）は携帯電話機２を閉状態にした場合を、図３（ｂ）は携帯電話機２を開状態にした場合を示している。
【００２４】
なお、携帯電話機２及びクレードル装置３の組み合わせにより、音響装置１が構成されている。
【００２５】
携帯電話機２は、いわゆる折り畳み式の携帯電話機として構成されており、受話筐体５と、送話筐体６とを備えている。受話筐体５及び送話筐体６は、それぞれの端部が連結部７により連結されており、携帯電話機２は、連結部７を回動の中心として開閉可能である。受話筐体５及び送話筐体６は、それぞれ概ね薄型直方体に形成されており、閉状態では互いに重ね合わされ、一方の筐体側から他方の筐体側を見たときに互いの輪郭が略一致するようになっている。
【００２６】
受話筐体５は、例えば樹脂により略薄型直方体状に形成されている。受話筐体５には、閉状態で送話筐体６に対向する対向面に画像を表示する表示部９が設けられている。表示部９は、例えば液晶表示ディスプレイによって構成されている。なお、受話筐体５には、この他、通話用のスピーカー３９（図４参照）が設けられ、当該スピーカーの放音口１０が対向面に設けられている。
【００２７】
送話筐体６は、例えば樹脂により略薄型直方体状に形成されている。送話筐体６には、ユーザの操作を受け付ける操作部１２、電波の送受信を行うメインアンテナ１３及びサブアンテナ１４、報知音等を出力するスピーカー１５、通話用のマイクロフォン３５（図４参照）、マイクロフォン３５の導音孔１６が設けられている。
【００２８】
メインアンテナ１３は、送話筐体６の連結部７とは反対側の端部に内蔵されている。サブアンテナ１４は、送話筐体６の側面側であって、送話筐体６中央とメインアンテナ１３との間の位置において、送話筐体６に内蔵されている。メインアンテナ１３及びサブアンテナ１４はダイバーシティアンテナとして構成されている。例えば、メインアンテナ１３は、送受話やメールの送受信等に用いられ、常時利用される。サブアンテナ１４は、音楽をダウンロードするときなど、音声通話時以外のデータ通信が行われるときにメインアンテナ１３と併せて利用される。
【００２９】
スピーカー１５は、送話筐体６の連結部７側の端部に内蔵され、送話筐体６の側方側に２つ設けられている。送話筐体６の連結部７側の端部には、受話筐体５と対向する面とは反対側の面（クレードル装置に対向する面）に開口し、スピーカー１５の出力した音響を放音する放音孔１７が設けられている。なお、放音孔１７を送話筐体６の側面に開口するように設けてもよい。スピーカー１５は、例えば、着信や誤操作等を知らせる報知音の出力、ハンズフリー機能を利用して通話する際における通話相手の音声の出力、音楽や映画再生における音響出力に用いられるものである。
【００３０】
クレードル装置３は、筐体１８と、クレードル装置３に電力を供給するためのコード１９と、クレードル装置３と携帯電話機２とを電気的に接続するための充電端子２０、２１及び音響信号端子２２と、携帯電話機２から入力された音響信号に基づく音響を出力するスピーカー２３とを備えている。
【００３１】
筐体１８は、例えば、机上などに載置される下部カバー１８ａと、下部カバー１８ａに被せられる上部カバー１８ｂとを備えている。下部カバー１８ａ及び上部カバー１８ｂは例えば樹脂により形成されている。上部カバー１８ｂは、筐体１８が載置される面に対して傾斜するように下部カバー１８ａに被せられており、筐体１８は、全体として、載置される面（机面等）に対して傾斜する傾斜面１８ｃを有する台形状に形成されている。
【００３２】
筐体１８の上面には、携帯電話機２を載置するための凹部（載置部）２５が形成されている。凹部２５は、傾斜面１８ｃの下方側に設けられている。凹部２５は、携帯電話機２の送話筐体６が嵌合する形状に形成されるとともに、送話筐体６の背面が当接する底部が、クレードル装置３が載置される面（机面等）に対して傾斜するように形成されている。携帯電話機２は、連結部７側を傾斜面１８ｃの上方側に向けて、送話筐体６が凹部２５に嵌合挿入されることにより、クレードル装置３に載置されている。
【００３３】
なお、送話筐体６のクレードル装置３の筐体１８に対する配置位置は凹部２５に規定され、スピーカー２３の配置位置はクレードル装置３の筐体１８に対して固定されている。すなわち、送話筐体６を凹部２５に載置したときの送話筐体６のスピーカー２３に対する位置関係は一定であり、当該位置関係は、本発明の所定の位置関係の一例である。
【００３４】
図３（ａ）及び図３（ｂ）に示すように、凹部２５の深さは送話筐体６の厚さと略同等又はそれ以下である。従って、携帯電話機２を凹部２５内に載置した状態で、携帯電話機２を開閉しても、傾斜面１８ｃの凹部２５周縁は受話筐体５に当接せず、携帯電話機２の開閉は妨げられない。
【００３５】
コード１９は、筐体１８から延出しており、その先端には、不図示の電源プラグが設けられている。電源プラグが、商用周波数の電力を供給するための電源レセプタクルに挿入されることにより、コード１９を介してクレードル装置３に電力が供給される。
【００３６】
充電端子２０、２１は、凹部２５の底部から突出するように設けられており、携帯電話機２を凹部２５に嵌合挿入すると、携帯電話機２の送話筐体６に設けられた充電端子３７（図４参照）に当接して接続される。
【００３７】
音響信号端子２２は、凹部２５の底部から突出するように設けられている。また、充電端子２０、２１に隣接して設けられている。音響信号端子２２は、携帯電話機２を凹部２５に嵌合挿入すると、携帯電話機２の送話筐体６に設けられた音響信号端子（出力部）３６（図４参照）に当接して接続される。
【００３８】
スピーカー２３は、凹部２５よりも傾斜面１８ｃの上方側に設けられている。スピーカー２３は、放音面が傾斜面１８ｃの裏面に対向するように（上方を向くように）配置されており、傾斜面１８ｃには、スピーカー２３により出力された音響を放音するための放音孔２４が設けられている。
【００３９】
なお、携帯電話機２は、連結部７をスピーカー２３に向けて凹部２５に載置され、連結部７とは反対側の端部側にメインアンテナ１３及びサブアンテナ１４が設けられているから、メインアンテナ１３及びサブアンテナ１４は、携帯電話機２の筐体のなかで、スピーカー２３に離れた位置に配置されていることになる。
【００４０】
また、スピーカー２３は、傾斜面１８ｃの上方側に設けられ、メインアンテナ１３及びサブアンテナ１４は、傾斜面１８ｃの下方側に設けられているから、メインアンテナ１３及びサブアンテナ１４はスピーカー２３よりも鉛直方向において若干下方の位置（異なる位置）に配置されている。
【００４１】
なお、メインアンテナ１３及びサブアンテナ１４のうち、いずれか一方のみをスピーカー２３から離れた位置やスピーカー２３の配置位置と鉛直方向において異なる位置に配置してもよい。
【００４２】
図４は、携帯電話機２及びクレードル装置３の信号処理系の構成を示すブロック図である。
【００４３】
携帯電話機２は、各種電子素子の動作を制御する制御部３１と、無線通信を行うための通信処理部（通信手段）３２と、音響出力に係る処理を行う音響処理部（音響出力手段）３３と、充電回路３４とを備えている。なお、携帯電話機２は、この他にも、制御部３１からの映像データを映像信号に変換して表示部９に出力する画像処理部等の種々の手段を備えるが図示は省略する。
【００４４】
制御部３１は、例えばＣＰＵ、ＲＯＭ、ＲＡＭ等を含んだＩＣにより構成されており、操作部１２からの信号や記憶装置に記録されたデータ等に基づいて、種々の処理を実行する。
【００４５】
例えば、制御部３１は、通信処理部３２から出力されたデータに基づいて種々の処理を実行するとともに、通信処理部３２から出力されたデータを処理する。例えば、他の電話機等からの通話のための呼び出し（着信）やメールの着信があった場合には、所定の報知音を出力するように音響処理部３３に要求する。他の電話機等と通話を行う場合には、通信処理部３２から出力されるデータに対応する通話音声の音響信号を出力するように音響処理部３３に要求する。なお、報知音には、製造者により携帯電話機２の音源ＩＣ等に保存された音響が利用されてもよいし、ユーザがダウンロードなどにより携帯電話機２の記憶装置に記憶させた音響（音楽など）が利用されてもよい。
【００４６】
また、制御部３１は、自己のクロックに基づいて時刻を計数するとともに、時刻コードを含む電波を受信して時刻を修正することにより、いわゆる電波時計としても機能している。そして、操作部１２に対する入力操作により設定された時刻が到来すると、所定のアラーム音の音響信号を出力するように、音響処理部３３に要求する。すなわち、制御部３１はアラーム手段として機能する。
【００４７】
通信処理部３２は、高周波回路を含んで構成され、電波を利用した無線通信を行う。具体的には、通信処理部３２は、制御部３１等で処理された音響データ、画像データ等の各種データを変調して、メインアンテナ１３を介して送信する。また、通信処理部３２は、メインアンテナ１３及びサブアンテナ１４を介して受信した信号を復調して制御部３１等に出力する。
【００４８】
音響処理部３３は、マイクロフォン３５からの音響信号を音響データに変換して制御部３１等へ出力し、また、各種音源からの音響データを音響信号に変換してスピーカー３９等へ出力する。音響処理部３３は、例えば、音響信号をミキシングしたりスイッチングするミキサー４１、スピーカー１５の出力を制御する内部スピーカー出力制御部４２、スピーカー２３の出力を制御する外部スピーカー出力制御部４３、イヤホン４７の出力を制御するイヤホン出力制御部４４を備えている。なお、音響処理部３３は、この他にも、増幅器等の種々の手段を含んでいるが図示は省略する。
【００４９】
ミキサー４１は、通信処理部３２を経由した通話音声に対応する音響信号、複数の音源部４５Ａ、４５Ｂ（以下、単に「音源部４５」ということがある。）からの音響信号をミキシング（加算）したり、スイッチング（選択）して出力する。音響信号は、例えば、音響の波形に対応する波形の電圧を有する電気信号であり、ミキサー４１は、各音源部４５からの音響信号の波形を重ね合わせて出力する。または、ミキサー４１は、各音源部からの音響信号を、どの出力経路に出力するのかを選択して、選択した出力経路へ出力する。
【００５０】
音源部４５は、音響信号を生成するために必要な情報を保持又は受信するものであり、例えば、報知音やアラーム音等のユーザインターフェースに利用される音響に対応する音響データを保持する音源ＩＣ、携帯電話機２によるダウンロードなどによって取得した楽曲のデータを保持する記憶装置、ラジオ等の音響の情報を含む電波を受信して音響信号を出力する放送受信装置である。なお、図４において音源部４５が２つであるのは例示に過ぎない。
【００５１】
内部スピーカー出力制御部４２は、ミキサー４１から出力される音響信号の出力を制御（規制）してスピーカー１５に出力する。例えば、内部スピーカー出力制御部４２は、ミキサー４１とスピーカー１５との電気的な接続を遮断又は許容するＦＥＴ等のスイッチを含んで構成される。若しくは、可変減衰器を含んで構成され、音響信号の電圧の振幅を所定の比率で縮小する。なお、増幅器を含んで構成し、増幅率を低下させることにより出力を規制することも可能である。内部スピーカー出力制御部４２の動作は制御部３１により制御され、例えば、音楽鑑賞中に携帯電話機２にイヤホン４７が接続されると、内部スピーカー出力制御部４２は、スピーカー１５に音響信号が出力されないようにする。
【００５２】
外部スピーカー出力制御部４３は、ミキサー４１から出力される音響信号の出力を制御（規制）して当該音響信号を音響信号端子３６に出力する。外部スピーカー出力制御部４３の構成は、内部スピーカー出力制御部４２と同様であり、スイッチや減衰器を含んで構成される。また、外部スピーカー出力制御部４３の動作は制御部３１により制御され、例えば、音楽鑑賞中に携帯電話機２にイヤホン４７が接続されると、外部スピーカー出力制御部４３は、音響信号端子３６に音響信号が出力されないようにする。
【００５３】
イヤホン出力制御部４４は、ミキサー４１から出力される音響信号の出力を制御（規制）してイヤホン用音響信号端子４８に出力する。イヤホン出力制御部４４の構成は、内部スピーカー出力制御部４２と同様であり、スイッチや減衰器を含んで構成され、その動作は制御部３１により制御される。
【００５４】
このように、各出力制御部４２、４３、４４は、ミキサー４１を介して音響処理部３３から出力される音響信号の出力を制御するものであり、例えばスイッチや可変減衰器などを用いて音響信号の出力を遮断したり減少させたりして規制することが可能に構成されている。なお、音響信号の出力を制御（規制）するための構成として、スピーカー１５、２３やイヤホン４７から出力される音響の音量（ボリューム）や特性などが制御できるように構成されれば良い。
【００５５】
充電回路３４は、充電端子３７に供給された電力を適宜な電圧の電力に変換して、携帯電話機２の電源としてのバッテリ３８に供給する。また、バッテリ３８の充電状態等に応じてバッテリ３８への充電（電力供給）を開始したり、充電の中断を行う。
【００５６】
クレードル装置３は、増幅器５１、充電器（ＡＣコンバータ）５２を備えている。増幅器５１は、音響信号端子２２を介して携帯電話機２から入力された音響信号を増幅してスピーカー２３に出力する。充電器５２は、コード１９を介して供給された商用周波数の交流電流を適宜な電圧の直流電流に変換して充電端子２０、２１に出力する。なお、クレードル装置３は充電機能を有していなくてもよい。
【００５７】
イヤホン４７は、イヤホン用音響信号端子４９と４８との接続により携帯電話機２に対して電気的に接続され、イヤホン用音響信号端子４８、４９を介して入力された音響信号に応じた音響を出力する。
【００５８】
図５は、携帯電話機２の動作の一例を、従来の携帯電話機との比較で示す概念図であり、図５（ａ）は従来の携帯電話機の動作を、図５（ｂ）は携帯電話機２の動作を示している。
【００５９】
図５（ａ）の左図において示すように、従来の携帯電話機５０２では、クレードル装置５０３に携帯電話機５０２が接続された状態で携帯電話機５０２により音楽を再生すると、音楽は携帯電話機５０２のスピーカー５１５からは出力されず、クレードル装置５０３のスピーカー５２３から出力されていた（例えば特許文献１）。
【００６０】
一方、従来の携帯電話機において、携帯電話機のスピーカーにより音楽を再生している場合、再生中に携帯電話機が着信すると、音楽再生を停止して報知音（着信音）を出力するものが知られている。
【００６１】
上述のような音楽再生を停止して報知音を出力する従来の携帯電話機５０２がクレードル装置５０３に接続されている場合には、図５（ａ）の右図に示すように、音楽再生が停止され、報知音がクレードル装置５０３の外部スピーカー５２３から出力される。
【００６２】
この場合、クレードル装置５０３のスピーカー５２３は音楽鑑賞のために音量が大きく設定されている可能性が高く、携帯電話機５０２がクレードル装置５０３に接続されていない場合に比して報知音が突然大音量で出力され、ユーザが違和感を覚える。
【００６３】
本実施形態の携帯電話機２では、音楽再生中には、図５（ｂ）の左図に示すように、携帯電話機２のスピーカー１５及びクレードル装置３のスピーカー２３の双方から音楽が出力される。ただし、クレードル装置３のスピーカー２３からのみ音楽が出力されるようにしてもよい。
【００６４】
そして、着信があると、図５（ｂ）の右図に示すように、携帯電話機２は、クレードル装置３のスピーカー２３への音響信号の出力を停止（規制）する。これにより、報知音は携帯電話機２のスピーカー１５から出力されるが、クレードル装置３のスピーカー２３からは出力されない。従って、ユーザは、携帯電話機２がクレードル装置３に載置されていない場合と同等の音量（音圧）で報知音を聞くことになり、違和感を生じない。
【００６５】
図６（ａ）は、図５（ｂ）の動作を実現するために、携帯電話機２の記憶装置に保持される設定データＤ１の一例を示す概念図である。
【００６６】
設定データＤ１には、クレードル装置３から出力すべき音響、換言すれば、ユーザがクレードル装置３から出力させるように意図した音響（音響信号）の種類が保持されている。図６（ａ）では、携帯電話機２がダウンロードなどにより記憶された楽曲データの再生（音楽再生）と、携帯電話機２により受信したラジオ放送の出力とがリストされている場合を例示している。なお、設定データＤ１に保持される情報は、携帯電話機２の製造者において入力されてもよいし、携帯電話機２のユーザにおいて任意に入力されてもよい。また、ユーザが意図する音響の種類に代えて、ユーザが意図しない音響の種類を保持させてもよい。
【００６７】
図７は、図５（ｂ）の操作を実現するために、携帯電話機２の制御部３１が実行する処理の手順を示すフローチャートである。この処理は、例えば携帯電話機２の電源投入後、所定の周期（例えば０．５秒）で繰り返し実行される。
【００６８】
ステップＳ１では、制御部３１は、音響出力要求が発生したか否か判定する。例えば、着信があり、報知音を出力する必要が生じたか否か、設定した時刻に到達し、アラーム音を出力する必要が生じたか否か、音楽再生やラジオ放送出力の指示が操作部１２を介してあったか否か等を判定する。
【００６９】
音響出力要求が生じていないと判定した場合は処理を終了する。音響出力要求が生じたと判定した場合は、ステップＳ２において、音響の出力が要求された音響の種類と、図６（ａ）に示した設定データＤ１において保持されている種類とを比較して、出力要求のあった音響の種類が、設定データＤ１にて設定されている種類か否かを判定する。なお、出力要求のあった音響の種類は、例えば、音響出力要求に含まれる、音響の出力を要求したアプリケーションの種類の情報に基づいて特定される。
【００７０】
音響の種類が設定されている種類であると判定した、即ち、ユーザがクレードル装置３から出力させるように意図した音響の種類である場合、例えば、出力要求のあった音響が音楽再生の音響又はラジオ放送の音響である場合、ミキサー４１から出力される音響信号を音響信号端子３６へ、すなわち、クレードル装置３のスピーカー２３（外部スピーカー）へ出力するように、外部スピーカー出力制御部４３の動作設定を行い（ステップＳ３）、処理を終了する。
【００７１】
この後、音響出力要求のあった音響に対応する音響信号又は当該音響信号を含む音響信号がミキサー４１から出力されると、当該音響信号に対応する音響はクレードル装置３のスピーカー２３から出力される。
【００７２】
一方、ステップＳ２において、設定されている種類でないと判定した、即ち、ユーザがクレードル装置３から出力させることを意図していない音響の種類である場合、例えば、出力要求のあった音響が報知音（着信音）やアラーム音である場合、ミキサー４１から出力される音響信号を音響信号端子３６へ出力しないように、外部スピーカー出力制御部４３の動作設定を行い（ステップＳ４）、処理を終了する。
【００７３】
この後、音響出力要求のあった音響に対応する音響信号又は当該音響信号を含む音響信号がミキサー４１から出力されると、当該音響信号に対応する音響はクレードル装置３のスピーカー２３からは出力されない。ただし、内部スピーカー出力制御部４２は、ミキサー４１からの音響を規制するようには設定されておらず、携帯電話機２のスピーカー１５からは出力される。
【００７４】
なお、図５（ｂ）のように、音楽再生中に着信があり、音楽再生を停止して報知音のみを出力する場合など、音響出力要求のあった音響のみを出力し、出力中であった音響の出力を停止する場合には、出力中であった音響の音響信号のミキサー４１への入力を停止するか、ミキサー４１にて当該音響信号をミキシングしないようにすればよい。そして、報知音の終了や通話の終了等の所定の条件が満たされたときに、再度ミキシングを再開して、停止されていた音楽の音響がクレードル装置３のスピーカー２３から出力されるようにすればよい。
【００７５】
また、制御部３１は、ステップＳ１を実行する場合において、着信の有無を判定するとき、着信検出手段として機能し、ステップＳ２を実行するとき音響判定手段として機能する。
【００７６】
（変形例）
図６（ｂ）は、第１の実施形態の変形例の一例を示す図である。
【００７７】
図６（ｂ）の設定データＤ１は、音響の種類と、クレードル装置３への出力規制量とを対応付けて保持している。クレードル装置３への出力規制量は、携帯電話機２のスピーカー１５へ出力する場合の出力に対する比率で設定されている。なお、出力規制量等の情報は、製造者が入力してもよいし、ユーザが入力してもよい。
【００７８】
図６（ｂ）では、着信による報知音が３種に区別されている。すなわち、通常の発信者からの着信による報知音と、操作部１２に対する所定の操作等により特定のデータリストに登録された特定の発信者からの着信による報知音とが区別され、当該特定の発信者からの報知音は更に、特定の発信者に対して特定の報知音が対応付けられていない場合と、対応付けられている場合とで区別されている。特定の報知音が対応付けられている場合、特定の発信者からの着信があると、その特定の報知音が出力され、ユーザは報知音により、通常の発信者からの通信か、特定の発信者からの通信かを知ることができる。なお、特定の報知音は、特定のデータリストに登録されていた特定の発信者全員に対して共通に対応付けられていてもよいし、特定の発信者間で異なっていてもよい。
【００７９】
そして、報知音が、特定の発信者に対応付けられた特定の報知音のときは出力を規制せず、それ以外の報知音のときは出力を規制するように設定されている。換言すれば、特定の発信者である場合に、当該特定の者に対応した報知音が出力されるように設定されており、かつ、特定の発信者からの通信であるときに、出力規制が解除されるように設定されている。ただし、特定の発信者に特定の報知音が対応付けられているか否かに関りなく、特定の発信者からの通信である場合に出力を規制しない（規制を解除する）ようにしてもよい。
【００８０】
また、アラーム音は、ミキサー４１から出力された音響信号が半分の出力に規制されるように設定されており、ラジオ放送や音楽再生の音響は出力が規制されないように設定されている。
【００８１】
図８は、変形例において、制御部３１が図７の処理に代えて実行する処理の手順を示すフローチャートである。この処理は、図７と同様に、携帯電話機２の電源投入後、所定の周期（例えば０．５秒）で繰り返し実行される。
【００８２】
ステップＳ１１は、図７のステップＳ１と同様である。ステップＳ１２では、制御部３１は、出力が要求された音響の種類を特定し、ステップＳ１３では、その特定した種類をキーとして図６（ｂ）に示す設定データＤ１の検索を行い、特定した音響の種類に対応する規制量（出力方法）を特定する。
【００８３】
ステップＳ１４では、特定した出力方法に基づいて外部スピーカー出力制御部４３の動作設定を行い、処理を終了する。この後、音響出力要求のあった音響に対応する音響信号又は当該音響信号を含む音響信号がミキサー４１から出力されると、当該音響信号に対応する音響は、設定された規制量で、クレードル装置３のスピーカー２３からの出力が規制される。
【００８４】
なお、ステップＳ１２において特定された種類が、出力が規制されるように設定データＤ１において設定されているものである場合、ステップＳ１２〜Ｓ１４は、結局、音響処理部３３から出力される音響信号の種類が特定の種類であるか否か判定し、特定の種類であると判定された場合に出力を規制していることに他ならないから、制御部３１は、ステップＳ１２を実行しているとき、音響判定手段として機能する。
【００８５】
また、制御部３１は、通信処理部３２からのデータに基づいて着信を検出し、ステップＳ１２においては、通信処理部３２からのデータに含まれる発信者の情報と、携帯電話機２の記憶装置に保持されている特定のデータリストとを比較して、発信者が特定の発信者であるか否か判定し、また、特定の発信者に対応して特定の報知音が対応付けられているか否か判定するから、着信検出手段としても機能している。
【００８６】
以上の実施形態によれば、音響処理部３３から出力される音響信号の種類が特定の種類であるとき、当該音響信号のクレードル装置３のスピーカー２３への出力を規制する外部スピーカー出力制御部４３が設けられていることから、ユーザがスピーカー２３から出力させることを意図していない音響（例えば報知音）のスピーカー２３からの出力が規制され、ユーザの違和感が抑制される。
【００８７】
例えば、報知音やアラーム音等、第３者によって開始される音響やクロックの計数に基づいて開始される音響のように、ユーザの操作によって音響出力が開始されるものではない音響が突然に大音量で出力されることが防止され、ユーザが驚くことが抑制される。
【００８８】
また、変形例で示したように、発信者や報知音の種類に応じて出力を規制することにより、特定の発信者からの着信と、他の発信者からの着信とを、クレードル装置３のスピーカー２３からの報知音の音量によって区別して認識することができる。
【００８９】
なお、変形例では、音響の種類に対応して出力規制量を設定し、外部スピーカー出力制御部４３はこの出力規制量に応じてクレードル装置３への音響信号の出力を規制する構成としたが、これに限らず、音響信号の種類に応じてクレードル装置３のスピーカー２３から出力される音響の音量（ボリューム）や特性などが制御（規制）されるように構成されればよい。
【００９０】
（第２の実施形態）
図９は、第２の実施形態の携帯電話機１０２及びクレードル装置１０３を備えた音響装置１０１の信号処理系の構成を示すブロック図である。なお、携帯電話機１０２及びクレードル装置１０３の構造は第１の実施形態と同様である。また、第１の実施形態と同様の構成については、第１の実施形態と同一符号を付す。
【００９１】
第２の実施形態では、クレードル装置３に、音響信号端子２２から入力された音響信号を処理してスピーカー２３に出力する音響処理部１５０と、音響処理部１５０の動作の制御等を実行する制御部１５２とが設けられている。
【００９２】
音響処理部１５０は、音響信号端子２２からの音響信号の出力を制御してスピーカー２３に出力する外部スピーカー出力制御部１５１を備えている。外部スピーカー出力制御部１５１の構成は、第１の実施形態の外部スピーカー出力制御部４３と同様であり、その動作は制御部１５２により制御される。
【００９３】
制御部１５２は、第１の実施形態と同様の処理により、音響信号端子２２から入力された音響信号の種類が、設定データＤ１０１に設定されたものであるか否かを判定し、その判定結果に応じてスピーカー２３への出力を規制する。
【００９４】
例えば、設定データＤ１０１には、報知音やアラーム音等のユーザが意図しない音響の音響信号の波形パターンの情報が保持されており、制御部１５２は音響信号端子２２から入力された音響信号の波形と、設定データＤ１０１に保持されている音響信号の波形とのパターンマッチングを行い、パターンが一致した場合には出力を規制するように外部スピーカー出力制御部１５１の動作を制御する。
【００９５】
第２の実施形態によれば、第１の実施形態と同様の効果が得られる。すなわち、音響処理部１３３から出力される音響信号の種類が設定データＤ１０１にて設定された種類であるとき、当該音響信号のクレードル装置１０３のスピーカー２３への出力を規制する外部スピーカー出力制御部１５１が設けられていることから、ユーザがスピーカー２３から出力させることを意図していない音響（例えば報知音）のスピーカー２３からの出力が規制され、ユーザの違和感が抑制される。
【００９６】
なお、外部スピーカー出力制御部１５１は、携帯電話機１０２から出力された音響信号のスピーカー２３への出力を制御（規制）する構成としたが、これに限らず、スピーカー２３から出力される音響の音量（ボリューム）や特性などが制御できるように構成されればよい。
【００９７】
本発明は以上の実施形態に限定されず、種々の態様で実施してよい。
【００９８】
携帯端末装置は、外部のスピーカーへ音響信号を出力できるものであればよく、携帯電話機に限定されない。例えばＰＤＡ、ノートパソコンでもよい。音響出力装置は、携帯端末装置からの音響信号を音響に変換して出力するスピーカーを備えていればよく、充電用卓上ホルダなどのクレードル装置に限定されない。例えば車載用のスピーカーユニットであってもよい。
【００９９】
音響信号のスピーカーへの出力が規制される音響信号の種類（特定の種類）は、製造者及びユーザの少なくとも一方に適宜に選択されてよい。音響信号の種類は、ベルの音と、楽曲とを互いに異なる種類に分類したり、互いに異なる楽曲を互いに異なる種類に分類するなど、音響自体の種類に基づいて定義されてもよいし、実施形態で特定の発信者により報知音の種類を分類したように、音響自体が同一であっても、その音響信号と関連付けられた情報の種類や、その音響信号の出力を要求したアプリケーションの種類に基づいて定義されてもよい。
【０１００】
音響信号の音響出力装置のスピーカー（外部スピーカー）への出力の規制には、他の種類の音響信号の出力に対して、若しくは、同一の種類の音響信号の出力であって携帯端末装置のスピーカー（内部スピーカー）に出力される場合の出力に対して、出力が小さくなるように制御され、又は、同一の種類の音響信号の出力であって携帯端末装置の状態（例えば音楽再生中であるか否か等）に応じて出力が変化する（小さくなる）ように制御されるものが含まれる。また、出力が小さくなるのは、一時的であってもよいし、恒常的であってもよい。
【０１０１】
例えば、報知音又はアラーム音の外部スピーカーへの出力を０又は５０％に設定する場合を例示したが、０あるいは比較的小さい出力から徐々に大きな出力になるように、いわゆるステップアップトーンで出力してもよい。
【０１０２】
外部スピーカーへの出力の規制は、音響出力手段から出力されないように、あるいは、音響出力手段から出力される際に規制するものであってもよいし、音響出力手段から出力された後に、規制するものであってもよい。
【０１０３】
音響判定手段による音響信号の種類について判定は、第２の実施形態のように、音響信号自体に基づいて行われてもよいし、第１の実施形態のように、音響の出力要求をしたアプリケーションの種類や音響出力要求と同時に得られる情報などの音響信号に関連付けられた情報に基づいて行われてもよい。例えば、着信やアラーム時刻の到達などを検出することにより外部スピーカーへの出力を規制するようにしてもよい。具体的には、着信やアラーム時刻の到達を検出すると、ユーザの意図しない特定の種類の音響信号が出力されると判定し、この場合に外部スピーカーへの出力を規制するようにしてもよい。また、判定は音響信号が出力される前に判定されてもよいし、された後に判定されてもよい。
【０１０４】
外部スピーカーへの出力を規制する条件は、音響信号の種類だけでなく、適宜な条件を追加してよい。例えば、報知音やアラーム音等のユーザの意図しない音響の出力要求が、音楽再生などの特定の音響の出力中において発生したときのみ、出力を規制するようにしてもよい。
【０１０５】
アラーム音は、設定された時刻に到達すると出力されるものであればよく、携帯端末装置が目覚まし時計として機能するような場合に出力される音響に限定されない。例えば、携帯端末装置のウィルス駆除のアプリケーションが定期的に実行されるように設定されている場合に、当該アプリケーションの実行開始に伴って出力される音響でもよい。
【０１０６】
また、携帯端末装置と音響出力装置との接続は、端子同士の当接に限らず、接続コネクタ等を用いてもよい。更には、接触式の接続に限定されることなく、非接触式の接続構造などにより、携帯端末装置からクレードル装置の外部スピーカーへ音響信号を出力できるように構成されていてもよい。
【図面の簡単な説明】
【０１０７】
【図１】本発明の第１の実施形態に係る携帯電話機及びクレードル装置を示す一部に透視図を含む正面図。
【図２】図１の携帯電話機をクレードル装置に載置した状態を示す一部に透視図を含む正面図。
【図３】図１の携帯電話機をクレードル装置に載置した状態を示す一部に透視図を含む側面図。
【図４】図１の携帯電話機及びクレードル装置の信号処理系の構成を示すブロック図。
【図５】図１の携帯電話機の動作を従来技術との比較において説明する概念図。
【図６】図１の携帯電話機の記憶装置に記録される設定データの内容を例示する概念図。
【図７】図１の携帯電話機の制御部が外部スピーカー出力制御部の動作を制御するために実行する処理の手順を示すフローチャート。
【図８】図７の変形例を示すフローチャート。
【図９】本発明の第２の実施形態に係る携帯電話機及びクレードル装置を示す一部に透視図を含む正面図。
【符号の説明】
【０１０８】
１…音響装置、２…携帯電話機（携帯端末装置）、３…クレードル装置（音響出力装置）、２３…スピーカー、３３…音響処理部（音響出力手段）、４３…外部スピーカー出力制御部（出力規制手段）。
【図１】
2007135077.tif 000003
【図２】
2007135077.tif 000004
【図３】
2007135077.tif 000005
【図４】
2007135077.tif 000006
【図５】
2007135077.tif 000007
【図６】
2007135077.tif 000008
【図７】
2007135077.tif 000009
【図８】
2007135077.tif 000010
【図９】
2007135077.tif 000011